(57)【要約】【課題】  小型化でき、床面１９を傷つける虞がなく、高さの最大調整可能量を大きくしたり、床面が傾斜していても対応可能とできるキャスタ付きアジャスタ１を提供する。【解決手段】  接床体２を上下方向に貫通するとともに、接床体２に対して昇降可能となるように、接床体２に支軸８を支持させる。この支軸８の下端部にキャスタ１３を取り付け、キャスタ１３の車輪１５を接床体２外に突出させることも、接床体２内に引っ込めることも可能にする。支軸８の上端側に被取付物１７のねじ穴１８にねじ込まれる被取付物用雄ねじ部９ａを、長さ方向中間部に回転操作部１０をそれぞれ設ける。あるいは、あらゆる方向に若干振れることが可能に接床体２に取り付けた軸支持ナット７に支軸８を螺合する。【選択図】    図６
2004244010.tif 000002
【特許請求の範囲】
【請求項１】
内部に空間を設けられるとともに、下方に開口部を備えていて底部を床面に接触される接床体と、前記接床体を上下方向に貫通するとともに前記接床体に対して相対的に昇降可能かつ軸回りに回転可能となるように前記接床体に支持された支軸と、この支軸の長さ方向中間部に設けられた、前記支軸を回転させる際に工具を嵌合されるかまたは手でつかまれる回転操作部と、前記支軸のうちの前記回転操作部より上端側の外周に設けられており、被取付物に設けられたねじ穴にねじ込まれる被取付物用雄ねじ部と、前記支軸の下端部に取り付けられたキャスタとを有してなり、
前記支軸は、前記接床体に対し、前記キャスタの車輪の最下部が前記接床体の底部より下方に突出することとなる位置および前記車輪の最下部が前記接床体の底部より上方に引き込まれることとなる位置との間を相対的に昇降可能であって、かつ前記２つの位置に保持可能とされているキャスタ付きアジャスタ。
【請求項２】
前記支軸は、前記接床体に対してあらゆる方向に若干振れることが可能なようにして前記接床体に支持されている請求項１記載のキャスタ付きアジャスタ。
【請求項３】
前記支軸のうちの前記回転操作部より下端側の外周に設けられた軸支持ナット用雄ねじ部と、軸方向が上下方向に向き、かつこの軸方向が前記接床体に対してあらゆる方向に若干振れることが可能、かつ前記接床体に対して軸回りに回転可能なようにして前記接床体に取り付けられた軸支持ナットとをさらに有し、この軸支持ナットに前記軸支持ナット用雄ねじ部が螺合されている請求項２記載のキャスタ付きアジャスタ。
【請求項４】
前記軸支持ナットは、前記接床体に取り付けられる前は、該ナットの一方の座面側に該ナットの軸と同軸となるように円筒状部を突出して形成されており、この円筒状部を前記接床体に設けられたナット装着穴に挿通した上、該円筒状部の先端部を塑性変形することにより、前記接床体に遊びがある状態でかしめられて取り付けられている請求項３記載のキャスタ付きアジャスタ。
【請求項５】
軸方向が上下方向に向き、かつこの軸方向が前記接床体に対してあらゆる方向に若干振れることが可能、かつ前記接床体に対して軸回りに回転可能なようにして前記接床体に取り付けられた軸支持体をさらに有し、この軸支持体に前記支軸が軸方向にスライド可能に支持されている請求項２記載のキャスタ付きアジャスタ。
【請求項６】
前記軸支持体は筒状をなしており、この軸支持体の周壁に設けられた溝穴と、前記支軸に該支軸から径方向に突出するように設けられており、前記溝穴に嵌合された突起部とをさらに有し、前記溝穴は上下方向に延びる上下方向部と、この上下方向部の上端側から横方向に延びる上側横方向部と、前記上側横方向部の下端側から横方向に延びる下側横方向部とを備えており、前記突起部は前記上下方向部、前記上側横方向部および前記下側横方向部の何れにも進入可能とされていて、前記突起部が前記下側横方向部に進入させられた状態になると、前記キャスタの車輪の最下部が前記接床体の底部より下方に突出した状態となり、前記突起部が前記上側横方向部に進入させられた状態になると、前記車輪の最下部が前記接床体の底部より上方に引き込まれた状態になる請求項５記載のキャスタ付きアジャスタ。
【請求項７】
前記支軸の前記被取付物用雄ねじ部に螺合されたロック用ナットをさらに有する請求項１乃至６のいずれかに記載のキャスタ付きアジャスタ。
【請求項８】
前記回転操作部は横断面六角形状をなしている請求項１乃至７のいずれかに記載のキャスタ付きアジャスタ。
【請求項９】
内部に空間を設けられるとともに、下方に開口部を備えていて底部を床面に接触される接床体と、軸方向が上下方向に向き、かつこの軸方向が前記接床体に対してあらゆる方向に若干振れることが可能、かつ前記接床体に対して軸回りに回転可能なようにして前記接床体に取り付けられた軸支持ナットと、軸支持ナット用雄ねじ部を備えていて、この軸支持ナット用雄ねじ部を前記軸支持ナットに螺合されており、かつ前記接床体を上下方向に貫通している支軸と、前記支軸の下端部に取り付けられたキャスタとを有してなり、
前記支軸は、該支軸に対し前記軸支持ナットを回転することにより、前記接床体に対し、前記キャスタの車輪の最下部が前記接床体の底部より下方に突出することとなる位置および前記車輪の最下部が前記接床体の底部より上方に引き込まれることとなる位置との間を相対的に昇降可能であるキャスタ付きアジャスタ。
【請求項１０】
前記軸支持ナットは、前記接床体に取り付けられる前は、該ナットの一方の座面側に該ナットの軸と同軸となるように円筒状部を突出して形成されており、この円筒状部を前記接床体に設けられたナット装着穴に挿通した上、該円筒状部の先端部を塑性変形することにより、前記接床体に遊びがある状態でかしめられて取り付けられている請求項９記載のキャスタ付きアジャスタ。
【請求項１１】
前記キャスタは前記支軸に対し一定範囲内において昇降可能に取り付けられており、かつ緩衝手段が前記キャスタと前記支軸との間に挿入されている請求項１乃至１０のいずれかに記載のキャスタ付きアジャスタ。
【発明の詳細な説明】
【技術分野】
【０００１】
本発明は、各種機器、家具、陳列什器等の被取付物に取り付けられて、高さ調整を行うアジャスタに係り、特にキャスタを一体的に備えたキャスタ付きアジャスタに関する。
【背景技術】
【０００２】
一般的なアジャスタは、キャスタを備えておらず、高さ調整を行うことができるのみで、被取付物の設置箇所の移動を容易にする機能は備えていない。また、従来より、アジャスタとキャスタとを一体的に備え、キャスタにより被取付物の設置箇所の移動を容易に行えるようにしたキャスター付きアジャスタ（ないしはアジャスタ付きキャスター）も種々開発はされているが、これらの多くは、床面に接触される接床体の外部にキャスタが設けられているため、装置が非常に大型化するという問題があった。
【０００３】
また、従来より、一部には、接床体の内部にキャスタが収容されるようにしたキャスタ付きアジャスタが開発されている（例えば、特許文献１〜８参照）。この種のキャスタ付きアジャスタは、接床体の内方においてキャスタの車輪を昇降できるようになっており、被取付物を床面上において移動させる際には、キャスタの車輪の最下部を接床体の底部より下方に突出させる一方、高さ調整を行う際には、接床体が床面に接触され、キャスタの車輪の最下部が接床体の底部より上方に引っ込んだ状態となるようにしている。このような構造のキャスタは、接床体の内部にキャスタが収容されるので、小型化することが可能である。
【特許文献１】特開平６−２５５３０３号公報
【特許文献２】特開平１１−１３９１０５号公報
【特許文献３】実公平４−４８９６１号公報
【特許文献４】実開昭５６−９３３０６号公報
【特許文献５】実開平１−１１４４０４号公報
【特許文献６】実開平４−１１２１０１号公報
【特許文献７】実開平６−５５８０９号公報
【特許文献８】米国特許第４，８００，６１７号明細書
【発明の開示】
【発明が解決しようとする課題】
【０００４】
しかしながら、前記従来の接床体の内部にキャスタが収容されるようにした形式のキャスタ付きアジャスタにおいては、次のような問題があった。
【０００５】
（ａ）例えば特許文献１のように、被取付物に螺合される接床体の内周にねじ軸をさらに螺合するとともに前記ねじ軸の下端部にキャスタの車輪を支持させ、接床体およびねじ軸の上端にそれぞれ設けられた工具嵌合穴にエルボーレンチ等のような工具の先端を嵌合して接床体およびねじ軸を昇降させる構造のものにおいては、被取付物のうちのアジャスタの上方となる部分に、工具の先端を挿入できる開放部が存在しない場合には使用することができない（現実には、ほとんどの場合、そのような開放部は存在しない）、
（ｂ）接床体を床面に摺接させながら回転させることにより、高さ調整を行う構造のもの（例えば、特許文献１〜３，５，７）においては、床面が傷ついたり、接床体と床面との間の接触抵抗により、調整が行い難い、
（ｃ）前項の欠点を解消するために、接床体のうちの床に接触する部分と回転部分との間にベアリングを介装した構造のもの（例えば、特許文献４，６）においては、接床体の構造が複雑になり、製造コストが高くなる、
（ｄ）特許文献１〜４、７，８等のように、接床体に対するキャスタの昇降のみによって高さ調整を行うものは、接床体内におけるキャスタの昇降可能範囲（キャスタが接床体の外に突出しない範囲）に対応する量しか高さ調整を行えないので、高さの最大調整可能量が小さくなってしまう、
（ｅ）いずれもキャスタを支持する軸（支軸）が接床体に対して全く振れることができない構造になっていたので、床面が傾斜していると、接床体が床面に均等に接触せず、偏当たりする状態となり、被取付物の水平を取りにくくなったり、または被取付物の荷重が作用する鉛直方向に対して軸が傾いた状態になり、大荷重により軸が折れてしまう虞がある。
【０００６】
本発明は、このような従来の事情に鑑みてなされたもので、本発明の１つの目的は、小型化することができるキャスタ付きアジャスタを提供することを目的とする。
【０００７】
本発明の他の目的は、被取付物のうちのアジャスタの上方となる部分に、工具の先端を挿入できる開放部が存在しなくても、使用することができるキャスタ付きアジャスタを提供することにある。
【０００８】
本発明の他の目的は、接床体を床面に摺接させながら回転させることなく高さ調整を行うことができ、しかも接床体にベアリングを装備する必要もないキャスタ付きアジャスタを提供することにある。
【０００９】
本発明の他の目的は、高さの最大調整可能量を大きくすることができるキャスタ付きアジャスタを提供することにある。
【００１０】
本発明の他の目的は、床面が傾斜していても、被取付物の水平を取り難くなったり、大荷重により軸が折れてしまう虞のないキャスタ付きアジャスタを提供することにある。
【００１１】
本発明のさらに他の目的は、以下の説明から明らかになろう。
【課題を解決するための手段】
【００１２】
第一の本発明によるキャスタ付きアジャスタは、
内部に空間を設けられるとともに、下方に開口部を備えていて底部を床面に接触される接床体と、前記接床体を上下方向に貫通するとともに前記接床体に対して相対的に昇降可能かつ軸回りに回転可能となるように前記接床体に支持された支軸と、この支軸の長さ方向中間部に設けられた、前記支軸を回転させる際に工具を嵌合されるかまたは手でつかまれる回転操作部と、前記支軸のうちの前記回転操作部より上端側の外周に設けられており、被取付物に設けられたねじ穴にねじ込まれる被取付物用雄ねじ部と、前記支軸の下端部に取り付けられたキャスタとを有してなり、
前記支軸は、前記接床体に対し、前記キャスタの車輪の最下部が前記接床体の底部より下方に突出することとなる位置および前記車輪の最下部が前記接床体の底部より上方に引き込まれることとなる位置との間を相対的に昇降可能であって、かつ前記２つの位置に保持可能とされているものである。
【００１３】
この第一の本発明のキャスタ付きアジャスタにおいては、接床体に対し支軸を下降させることにより、キャスタの車輪の最下部を接床体の開口部より下方に突出させることができる。この状態において、被取付物に設けられたねじ穴に支軸の被取付物用雄ねじ部をねじ込むことにより、被取付物に装着する（勿論、車輪の最下部が開口部より上方に引き込まれた状態で被取付物用雄ねじ部をねじ穴にねじ込んだ後、支軸に対し接床体を上昇させて、キャスタの車輪の最下部を接床体の開口部より下方に突出させることも可能である）。
【００１４】
上述のように車輪が接床体から突出した状態で、床面上において車輪を転動させることにより、被取付物を所望の位置へ容易に移動することができる。被取付物を所望の位置へ移動した後、高さ調整を行うときは、支軸に対し接床体を下降させ、接床体の開口部を床面に接触させ、車輪の最下部が接床体の開口部より上方に引き込まれた状態とした後、回転操作部にレンチ（スパナ）等の工具を嵌合させるか、または回転操作部を手でつかんで（指で摘んで）支軸を被取付物のねじ穴に対して回転させることにより、高さ調整を行うことができる。
【００１５】
また、上記のようにねじ穴に対する支軸のねじ込み深さを調整することによってのみならず、接床体に対し支軸を昇降することによっても、高さ調整を行うことができる。
【００１６】
この第一の本発明のキャスタ付きアジャスタは、接床体の内部にキャスタが収容されるので、小型化することができる。
【００１７】
また、支軸の中間部に設けられた回転操作部を操作して支軸を回転することにより高さ調整を行えるので、被取付物のうちのアジャスタの上方となる部分に、工具を挿入できる開放部が存在しない場合にも使用することができる。
【００１８】
また、高さ調整時、支軸を回転させても、接床体の方は回転しないので、床面を傷つけたり、接床体と床面との間の接触抵抗により、調整が行い難くくなったりすることがない。また、したがって、基本的には接床体にベアリングを装備する必要もない。
【００１９】
また、ねじ穴に対する支軸のねじ込み深さを調整と、接床体に対する支軸の昇降との両方によって高さ調整を行うことができるので、高さの最大調整可能量が接床体内におけるキャスタの昇降可能範囲によって制限されないため、高さの最大調整可能量を大きくすることができる。
【００２０】
また、支軸が接床体に対してあらゆる方向に若干振れる（傾く）ことが可能なようにしておけば、床面が傾斜していて接床体も傾斜状態になったとしても、支軸に対して接床体が相対的に角度変化して床面の傾斜を吸収するので、従来のように被取付物の水平を取り難くなったり、荷重が作用する鉛直方向に対して支軸が傾いた状態になり、大荷重により軸が折れてしまうのを防止できる。
【００２１】
また、第二の本発明によるキャスタ付きアジャスタは、
内部に空間を設けられるとともに、下方に開口部を備えていて底部を床面に接触される接床体と、軸方向が上下方向に向き、かつこの軸方向が前記接床体に対してあらゆる方向に若干振れることが可能、かつ前記接床体に対して軸回りに回転可能なようにして前記接床体に取り付けられた軸支持ナットと、軸支持ナット用雄ねじ部を備えていて、この軸支持ナット用雄ねじ部を前記軸支持ナットに螺合されており、かつ前記接床体を上下方向に貫通している支軸と、前記支軸の下端部に取り付けられたキャスタとを有してなり、
前記支軸は、該支軸に対し前記軸支持ナットを回転することにより、前記接床体に対し、前記キャスタの車輪の最下部が前記接床体の底部より下方に突出することとなる位置および前記車輪の最下部が前記接床体の底部より上方に引き込まれることとなる位置との間を相対的に昇降可能であるものである
この第二の本発明によるキャスタ付きアジャスタは、別途に支軸に回転操作部および被取付物用雄ねじ部を設けないと、支軸に対する軸支持ナットの回転のみによって高さ調整を行うことになるので、高さの最大調整可能量が接床体内におけるキャスタの昇降可能範囲によって制限されることになるが、他の点については前記第一の本発明によるによるキャスタ付きアジャスタと同様の作用効果を得ることができる。
【発明の効果】
【００２２】
本発明のキャスタ付きアジャスタにおいては、
（イ）小型化することができる、
（ロ）被取付物のうちのアジャスタの上方となる部分に、工具を挿入できる開放部が存在しない場合にも使用することができる、
（ハ）床面を傷つけたり、接床体と床面との間の接触抵抗により、調整が行い難くくなったりすることがなく、接床体にベアリングを装備する必要もない、
（ニ）回転操作部と被取付物に設けられたねじ穴にねじ込まれる被取付物用雄ねじ部とを支軸に設ければ、高さの最大調整可能量を大きくすることができる、
（ホ）支軸が接床体に対してあらゆる方向に若干振れる（傾く）ことが可能なようにしておけば、床面が傾斜していても、被取付物の水平を取り難くなったり、大荷重により軸が折れてしまうのを防止できる、
等の優れた効果を得ることができる。
【発明を実施するための最良の形態】
【００２３】
以下、本発明を図面に示す実施例に基づいて説明する。
【実施例１】
【００２４】
図１〜７は、本発明の実施例１を示している。この実施例において、キャスタ付きアジャスタ１の接床体２は金属からなり、大略ドーム状をなしていて、内部に空間３を形成されており、底部には前記内部の空間３と外部の空間とを連続させる円形の開口部４を設けられている。この開口部４の周縁（接床体２の底部の周縁）には環状のフランジ状部５が形成されている。前記接床体２の頂点部には円形の取付穴６が設けられており、この取付穴６には金属からなる軸支持ナット７がかしめられて取り付けられている。
【００２５】
図４は、接床体２にかしめられる前の軸支持ナット７の形状を示しており、六角ナットの下側の座面側に該ナット７の軸と同軸となるように円筒状部７ａを一体的に突出して形成されている。そして、この軸支持ナット７は、図３によく示されるように、円筒状部７ａを上方から取付穴６に挿通し、該円筒状部７ａの先端部を外側に開き塑性変形することにより、若干遊び（ガタ）がある状態で、軸方向が上下方向に向くようにして接床体２にかしめられて取り付けられている。前記軸支持ナット７は、上述のように若干遊び（ガタ）がある状態で接床体２に取り付けられることにより、図３において一点鎖線および二点鎖線で示すように、該ナット７の軸方向が接床体２に対してあらゆる方向に若干振れる（傾く）ことが可能（例えば、接床体２の軸方向に対して１〜１０度程度振れることが可能なことが好ましい）、かつ接床体２に対して軸回りに回転可能かつ軸方向に若干移動可能になっている。
【００２６】
金属からなる支軸８の外周部には、ほぼその全長に渡って雄ねじ部９が設けられている。また、この支軸８の長さ方向中間部には、ナットからなる回転操作部１０が、雄ねじ部９に螺合された上、ピン１１を該回転操作部１０および支軸８に径方向に圧入されることにより固定されている。ここにおいて、前記回転操作部１０は、支軸８の中間部から該支軸８の径方向に突出することにより、つば状をなしている。また、前記雄ねじ部９のうちの回転操作部１０より上端側の部分は被取付物用雄ねじ部９ａを構成する一方、雄ねじ部９のうちの回転操作部１０より下端側の部分は軸支持ナット用雄ねじ部９ｂを構成している。前記支軸８の被取付物用雄ねじ部９ａには、ロック用ナット１２が螺合されている。
【００２７】
前記支軸８は、軸支持ナット用雄ねじ部９ｂを軸支持ナット７に螺合された状態で接床体２を上下方向に貫通している。ここにおいて、前述のように軸支持ナット７が接床体２に対してあらゆる方向に若干振れる（傾く）ことが可能になっていることにより、図２の一点鎖線で示されるように、支軸８も接床体２に対してあらゆる方向に若干振れる（傾く）ことが可能となっている。前記支軸８の下端部には、ボールキャスタ１３が取り付けられている。このボールキャスタ１３は、支軸８の下端部に固定されたキャスタ本体１４と、球状の車輪１５と、前記キャスタ本体１４と車輪１５との間に介装されたベアリング１６とを有している。なお、キャスタ本体１４と車輪１５との間にベアリング１６を介装する態様は必ずしも本実施例のような態様でなくてもよいし、場合によってはベアリングを介装しなくてもよい。
【００２８】
次に、本実施例の使用方法および作動を説明する。回転操作部１０を手でつかんで（指で摘んで）軸支持ナット７に対して支軸８を回転することにより（勿論、レンチ等の工具（図示せず）を回転操作部１０に嵌合して支軸８を回転させてもよい）、接床体２に対して支軸８を下降させて、図５のようにキャスタの車輪の最下部を接床体２の開口部４（底部）より下方に突出させる。この状態において、図５のように、被取付物１７の底部等に設けられたねじ穴１８に適当な深さだけ支軸８の被取付物用雄ねじ部９ａをねじ込むことにより、被取付物１７に装着する。このように支軸８を被取付物１７のねじ穴１８にねじ込む際には、回転操作部１０にレンチ（スパナ）等の工具を嵌合させて支軸８を回転させる（勿論、手のみでねじ込める場合は、工具を用いなくてもよい）。通常は、被取付物１７の底部の４隅にねじ穴１８が設けられており、これらの４つのねじ穴１８にそれぞれキャスタ付きアジャスタの支軸８がねじ込まれる。なお、勿論、車輪１５の最下部が開口部４より上方に引き込まれた状態で被取付物用雄ねじ部９ａをねじ穴１８にねじ込んだ後、支軸８に対し接床体２を上昇させて、キャスタ１３の車輪１５の最下部を開口部４より下方に突出させることも可能である。
【００２９】
上述のように車輪１５が接床体２から突出した状態で、図５の矢印Ａで示されるように、床面１９上において車輪１５を転動させることにより、被取付物１７を所望の位置へ容易に移動することができる。
【００３０】
被取付物１７を所望の位置へ移動した後、高さ調整を行うときは、接床体２を手で押さえた状態で、軸支持ナット７にレンチ（スパナ）等の工具を嵌合させて支軸８に対して軸支持ナット７を回転することにより、図６のように支軸８に対し軸支持ナット７ひいては接床体２を下降させ、接床体２の開口部４を床面１９に接触させ、車輪１５の最下部が接床体２の開口部４より上方に引き込まれた状態とする。このとき、ねじ穴１８に螺合されている支軸８は回転しないので、ねじ穴１８に対する支軸８のねじ込み深さが変化することはない。また、勿論、手のみで軸支持ナット７を回転できる場合は、工具を用いなくてもよい。
【００３１】
しかる後に、軸支持ナット７の共回りを阻止することなく、回転操作部１０にレンチ（スパナ）等の工具を嵌合させて被取付物１７のねじ穴１８に対して支軸８を回転させてねじ穴１８に対する支軸８のねじ込み深さを調整することにより、図６の矢印Ｂで示されるように、高さ調整を行うことができる。この場合も、勿論、手のみで支軸８を回転できる場合は、工具を用いなくてもよい。この高さ調整完了後、図７の矢印Ｃで示されるようにロック用ナット１２を締め付ければ、調整された高さをロックすることができる。
【００３２】
なお、本実施例では、上記のようにねじ穴１８に対する支軸８のねじ込み深さを調整することによってのみならず、支軸８に対して軸支持ナット７を回転し、軸支持ナット７，ひいては接床体２に対し支軸８を昇降することによっても、高さ調整を行うことができる。したがって、例えば、上記ロック後に高さの微調整がさらに必要になった場合に、車輪１５を開口部４から突出させることのない範囲で、支軸８に対して軸支持ナット７を回転することにより、ロック用ナット１２を緩め直す手間をかけることなく、高さの微調整を行うこともできる。また、このような支軸８に対する軸支持ナット７の回転により、微調整のみならず、比較的大きな高さ調整を行うことも可能である。
【００３３】
このキャスタ付きアジャスタ１は、接床体２の内部にキャスタ１３が収容されるので、小型化することができる。
【００３４】
また、支軸８の中間部に設けられた回転操作部１０を操作して支軸８を回転させるかまたは接床体２に対して軸支持ナット７を回転させることにより高さ調整を行えるので、被取付物１７のうちのアジャスタ１の上方となる部分に、工具を挿入できる開放部が存在しない場合にも使用することができる。
【００３５】
また、高さ調整時、支軸８または軸支持ナット７を回転させても、接床体２の方は回転しないので、床面１９を傷つけたり、接床体２と床面１９との間の接触抵抗により、調整が行い難くくなったりすることがない。したがって、基本的には接床体２にベアリングを装備する必要もない。
【００３６】
また、ねじ穴１８に対する支軸８のねじ込み深さの調整と支軸８に対する軸支持ナット７の回転による接床体２に対する支軸８の昇降との両方によって高さ調整を行うことができるので、高さの最大調整可能量が接床体２内におけるキャスタ１３の昇降可能範囲（キャスタ１３が接床体２の外に突出しない範囲）によって制限されないため、高さの最大調整可能量を大きくすることができる。
【００３７】
また、支軸８が接床体２に対してあらゆる方向に若干振れる（傾く）ことが可能であるので、床面１９が傾斜していて接床体２も傾斜状態になったとしても、支軸８に対して接床体２が相対的に角度変化して床面の傾斜を吸収するので、従来のように被取付物の水平を取り難くなったり、荷重が作用する鉛直方向に対して支軸８が傾いた状態になり、大荷重により支軸８が折れてしまうのを防止できる。
【実施例２】
【００３８】
前記図１〜７の実施例１においては、キャスタ１３として球状の車輪１５を有するボールキャスタを用いているが、本発明においてはローラないしは円盤状の車輪を有する通常型のキャスタ等の他の種のキャスタも用いることができる。図８は、通常型のキャスタ２０を用いた本発明の実施例２を示している。この実施例においては、支軸８の下端部に、ローラないしは円盤状の車輪２１を有する通常型のキャスタ２０が取り付けられている。他の構成は前記実施例１と同様である。本実施例においても、前記実施例１と同様の作用効果を得ることができる。
【実施例３】
【００３９】
図９〜１５は、本発明の実施例３を示している。この実施例においては、前記各実施例の軸支持ナット７の代わりに金属からなる軸支持体２２が接床体２にかしめられて取り付けられている。前記軸支持体２２は筒状をなしていて、下端部付近に円周方向に巡らされた環状の突起部２３を設けられており、図１１によく示されるように、上方から取付穴６に挿通された上、下端部２２ａを外側に開き塑性変形されることにより、若干遊び（ガタ）がある状態で、該軸支持体２２の軸方向が上下方向に向くようにして接床体２にかしめられて取り付けられている。ここにおいて軸支持体２２は、前述のように若干遊び（ガタ）がある状態で接床体２に取り付けられることにより、該軸支持体２２の軸方向が接床体２に対してあらゆる方向に若干振れる（傾く）ことが可能（例えば、接床体２の軸方向に対して１〜１０度程度が振れることが可能なことが好ましい）、かつ前記接床体２に対して軸回りに回転可能かつ軸方向に若干移動可能になっている。
【００４０】
軸支持体２２の周壁には、溝穴２４が設けられており、この溝穴２４は上下方向に延びる上下方向部２４ａと、この上下方向部２４ａの上端から横方向（円周方向）に延びる上側横方向部２４ｂと、前記上下方向部２４ａの下端から横方向（円周方向）に延びる下側横方向部２４ｃとを備えている。
【００４１】
前記各実施例の場合とは異なり、支軸８のうちの回転操作部１０より下方の部分には雄ねじ部９が設けられておらず、したがって軸支持ナット用雄ねじ部９ｂは存在しない。前記支軸８の中間部、かつ回転操作部１０より下方の部分には、該支軸８から径方向に突出するようにピンからなる突起部２５が圧入固定されている。前記支軸８は、軸支持体２２に対して軸方向にスライド可能に該軸支持体２２を貫通した状態で該軸支持体２２に支持されており、これにより支軸８は接床体２をも上下方向に貫通している。なお、前述のように軸支持体２２が接床体２に対してあらゆる方向に若干振れる（傾く）ことが可能になっていることにより、図１０の一点鎖線で示されるように、支軸８も接床体２に対してあらゆる方向に若干振れる（傾く）ことが可能となっている。
【００４２】
前記突起部２５は溝穴２４に嵌合されており、図１０，１３のように溝穴２４の上下方向部２４ａ、上側横方向部２４ｂおよび下側横方向部２４ｃの何れにも進入でき、図１３のように突起部２５が下側横方向部２４ｃに嵌合された状態になると、キャスタ１３の車輪１５の最下部が接床体２の開口部４より下方に突出した状態となる一方、図１０，１４，１５のように突起部２５が上側横方向部２４ｂに嵌合された状態になると、車輪１５の最下部が開口部４より上方に引き込まれた状態になるようになっている。他の構成は前記図１〜７の実施例１と同様である。
【００４３】
次に、本実施例の使用方法および作動を説明する。突起部２５が上下方向部２４ａに嵌合されている状態において、支軸８に対して軸支持体２２を上昇させ、図１３のようにキャスタ１３の車輪１５の最下部を接床体２の開口部４より下方に突出させるとともに、支軸８を軸支持体２２に対して相対回転して突起部２５を溝穴２４の下側横方向部２４ｃに進入させることにより、車輪１５の突出状態が維持されるようにする。この状態において、図１３のように、被取付物１７の底部等に設けられたねじ穴１８に適当な深さだけ支軸８の被取付物用雄ねじ部９ａをねじ込むことにより、被取付物１７に装着する。このように支軸８を被取付物１７のねじ穴１８にねじ込む際には、回転操作部１０にレンチ（スパナ）等の工具を嵌合させて支軸８を回転させる（勿論、手のみでねじ込める場合、工具を用いなくてもよい）。なお、勿論、車輪１５の最下部が開口部４より上方に引き込まれた状態で被取付物用雄ねじ部９ａをねじ穴１８にねじ込んだ後、支軸８に対し軸支持体２２ひいては接床体２を上昇させて、キャスタ１３の車輪１５の最下部を開口部４より下方に突出させることも可能である。
【００４４】
上述のように車輪１５が接床体２から突出した状態で、床面１９上において車輪１５を転動させることにより、図１３の矢印Ａで示されるように、被取付物１７を所望の位置へ容易に移動することができる。
【００４５】
被取付物１７を所望の位置へ移動した後、高さ調整を行うきは、被取付物１７のアジャスタ１が取り付けられている部分を持ち上げた状態で、支軸８に対して軸支持体２２を回転して突起部２５を下側横方向部２４ｃから上下方向部２４ａに進入させた後、図１４のように支軸８に対し接床体２を下降させ、車輪１５の最下部が接床体２の開口部４より上方に引き込まれた状態とし、さらに突起部２５を溝穴２４の上側横方向部２４ｂに進入させることにより、車輪１５の引き込み状態が維持されるようした後、被取付物１７を下ろして接床体２の開口部４を床面１９に接触させた状態とする。しかる後に、軸支持体２２の共回りを阻止することなく、回転操作部１０にレンチ（スパナ）等の工具を嵌合させて被取付物１７のねじ穴１８に対して支軸８を回転させてねじ穴１８に対する支軸８のねじ込み深さを調整することにより、図１４の矢印Ｂで示されるように、高さ調整を行うことができる。この高さ調整完了後、図１５の矢印Ｃで示されるようにロック用ナット１２を締め付ければ、調整された高さを固定することができる。
【００４６】
本実施例は、キャスタ１３の車輪１５の出し入れを迅速に行うことができるという利点があるが、前述のように被取付物１７を持ち上げる作業が必要となるので、容易に持ち上げることができる程度に被取付物１７が軽量な場合に好適である。
なお、前記各実施例においては、支軸８と別体の部材（六角ナット）を支軸８に固定することにより回転操作部１０を構成しているが、回転操作部１０を支軸８に一体に形成してもよい。また、回転操作部１０は必ずしも実施例のように六角形でなくてもよい。ただし、工具を嵌合することが予定される場合は、横断面非円形であることが好ましい。また、工具を嵌合することは予定されず、手で操作することのみが予定される場合は、それに適した形状とすることができる。
【実施例４】
【００４７】
図１６は、本発明の実施例４を示している。この実施例において、回転操作部１０は実施例１の場合より支軸８の上端側に設けられている。また、本実施例では回転操作部１０は支軸８に一体に設けられている。ロック用ナット１２は設けられていない。他の構成は実施例１と同様である。
【００４８】
本実施例においては、実施例１の場合と同様に、ねじ穴１８に対する支軸８のねじ込み深さの調整と支軸８に対する軸支持ナット７の回転との両方によって高さ調整を行うこともできるし、最初に、回転操作部１０が図１６のように被取付物１７に当接するまで被取付物用雄ねじ部９ａをねじ穴１８に完全にねじ込んでおき、高さ調整は基本的には支軸８に対する軸支持ナット７の回転によって行うようにすることもできる。
【実施例５】
【００４９】
図１７は、本発明の実施例５を示している。この実施例において、軸支持ナット７は、プラスチックからなる把手７ｂと、この把手７ｂにインサートとして埋め込まれ、該把手７ｂに一体化された六角ナット７ｃとを有している。前記六角ナット７ｃは実施例１の「軸支持ナット７」に相当するもので、該六角ナット７ｃの軸方向が接床体２に対してあらゆる方向に若干振れる（傾く）ことが可能、かつ接床体２に対して軸回りに回転可能かつ軸方向に若干移動可能になるように接床体２に取り付けられている。したがって、把手７ｂをも含めた軸支持ナット７全体が接床体２に対してあらゆる方向に若干振れる（傾く）ことが可能、かつ接床体２に対して軸回りに回転可能かつ軸方向に若干移動可能となっている。他の構成は実施例４と同様である。
【００５０】
本実施例においては、軸支持ナット７に把手７ｂが設けられているため、軸支持ナット７を工具によらず手で回しやすい。
【実施例６】
【００５１】
図１８は、本発明の実施例６を示している。この実施例においては、被取付物用雄ねじ部９ａおよび回転操作部１０は設けられておらず、支軸８の上端部には取付プレート３１が取り付けられている。本実施例においては、ボルト３２等により取付プレート３１を被取付物１７に取り付けることにより、支軸８の上端部が取付プレート３１を介して被取付物１７に取り付けられる。他の構成は実施例４と同様である。
【００５２】
本実施例においては、支軸８に対する軸支持ナット７の回転のみによって高さ調整を行うことになるので、高さの最大調整可能量が接床体２内におけるキャスタ１３の昇降可能範囲によって制限されることになるが、他の点については基本的に他の実施例と同様の作用効果を得ることができる。
【実施例７】
【００５３】
図１９は、本発明の実施例７を示している。この実施例において、キャスタ２０の上端部には軸支持部３３が設けられており、この軸支持部３３には支軸８の下端部がキャスタ２０に対して昇降可能に支持されている。軸支持部３３の底部と支軸８の下端面との間、および軸支持部３３の上端部と支軸８の下端付近に設けられた鍔部３４との間にはゴム、エラストマー等のゴム弾性体からなる緩衝材が緩衝手段３５として介装されている。他の構成は前記各実施例と同様とすることができる。
【００５４】
本実施例においては、支軸８とキャスタ２０との間に緩衝手段３５が介装されているので、被取付物１７をキャスタ２０により床面１９上を移動させる際等において、キャスタ２０から作用する衝撃や振動を緩衝手段３５で吸収し、キャスタ２０から支軸８を介して被取付物に１７に衝撃や振動が直接的に作用しないようにすることができる。すなわち、耐衝撃機能や防振機能を得ることができる。
【００５５】
緩衝手段３５としては、前記ゴム弾性体からなる緩衝材のみならず、ばね、空気または液体の封入物等の、同等の緩衝機能を得ることができるものも使用できる。
なお、前記各実施例においては、接床体２、軸支持ナット７、支軸８および軸支持体２２等が金属により構成されているが、本発明においてはこれらの部材をプラスチック等の他の種の材料により構成してもよい。
【産業上の利用可能性】
【００５６】
以上のように本発明に係るキャスタ付きアジャスタは、各種機器、家具、陳列什器等の被取付物に取り付けられて高さ調整を行う装置として有用である。
【図面の簡単な説明】
【００５７】
【図１】本発明によるキャスタ付きアジャスタの実施例１を示す斜視図である。
【図２】前記実施例１を示す縦断面図である。
【図３】前記実施例１における接床体に対する軸支持ナットの取付部付近を示す拡大縦断面図である。
【図４】前記実施例１におけるかしめ前の軸支持ナットを示す拡大縦断面図である。
【図５】前記実施例１において被取付物の移動を行う状態を示す縦断面図である。
【図６】前記実施例１において高さ調整を行う状態を示す縦断面図である。
【図７】前記実施例１において調整された高さをロックする状態を示す縦断面図である。
【図８】本発明によるキャスタ付きアジャスタの実施例２を示す縦断面図である。
【図９】本発明によるキャスタ付きアジャスタの実施例３を示す斜視図である。
【図１０】前記実施例３を示す縦断面図である。
【図１１】前記実施例３における接床体に対する軸支持体の取付部付近を示す拡大縦断面図である。
【図１２】図１０のＸＩＩ−ＸＩＩ線における拡大断面図である。
【図１３】前記実施例３において被取付物の移動を行う状態を示す縦断面図である。
【図１４】前記実施例３において高さ調整を行う状態を示す縦断面図である。
【図１５】前記実施例３において調整された高さをロックする状態を示す縦断面図である。
【図１６】本発明によるキャスタ付きアジャスタの実施例４を示す縦断面図である。
【図１７】本発明によるキャスタ付きアジャスタの実施例５を示す縦断面図である。
【図１８】本発明によるキャスタ付きアジャスタの実施例６を示す縦断面図である。
【図１９】本発明によるキャスタ付きアジャスタの実施例７の要部を示す縦断面図である。
【符号の説明】
【００５８】
１    キャスタ付きアジャスタ
２    接床体
３    空間
４    開口部
７    軸支持ナット
８    支軸
９ａ  被取付物用雄ねじ部
９ｂ  軸支持ナット用雄ねじ部
１０    回転操作部
１２    ロック用ナット
１３    ボールキャスタ
１５    車輪
１７    被取付物
１８    ねじ穴
１９    床面
２０    通常型のキャスタ
２１    車輪
２２    軸支持体
２４    溝穴
２４ａ  上下方向部
２４ｂ  上側横方向部
２４ｃ  下側横方向部
２５    突起部
３５    緩衝手段
【図１】
2004244010.tif 000003
【図２】
2004244010.tif 000004
【図３】
2004244010.tif 000005
【図４】
2004244010.tif 000006
【図５】
2004244010.tif 000007
【図６】
2004244010.tif 000008
【図７】
2004244010.tif 000009
【図８】
2004244010.tif 000010
【図９】
2004244010.tif 000011
【図１０】
2004244010.tif 000012
【図１１】
2004244010.tif 000013
【図１２】
2004244010.tif 000014
【図１３】
2004244010.tif 000015
【図１４】
2004244010.tif 000016
【図１５】
2004244010.tif 000017
【図１６】
2004244010.tif 000018
【図１７】
2004244010.tif 000019
【図１８】
2004244010.tif 000020
【図１９】
2004244010.tif 000021